(57)【要約】【課題】本発明は、チャンネル設定を行った際に、その受信電力の大きさによって確認不可能であったチャンネルのデジタル放送についても確実に検索可能とするデジタル放送受信装置を提供することを目的とする。【解決手段】デジタル放送受信装置において、プリセット動作を行い、プリセット動作を行うとき、装置の設置地域で受信可能となるチャンネルの放送信号であって、前記ゲイン切換アンプのゲインが初期値である場合に正常な受信が確認できないチャンネルの放送信号の正常な受信を、制御回路９又は操作部１１によってＶＧＡ３，５ａ，５ｂそれぞれのゲインの切換設定が行われることで、可能とする。【選択図】図１
2008177983.tif 000002
【特許請求の範囲】
【請求項１】
デジタル放送の放送信号を受信するアンテナと、該アンテナから受信した前記放送信号を減衰又は増幅するとともにゲイン切換可能なゲイン切換アンプと、該ゲイン切換アンプで減衰又は増幅された前記放送信号をデジタル変調方式によって復調する復調回路と、前記ゲイン切換アンプのゲインを設定する制御回路と、受信可能な前記放送信号のチャンネル周波数を記憶するメモリと、を備えるデジタル放送受信装置において、
前記ゲイン切換アンプのゲインを設定する操作部を備えるとともに、
前記メモリが、
前記受信可能なチャンネル周波数を検索するプリセット動作と、前記ゲイン切換アンプのゲインを前記操作部で切り換えるゲイン切換動作とを選択させるメニュー画面となる第１画像情報と、
前記ゲイン切換アンプのゲインを決定するゲイン設定用のメニュー画面となる第２画像情報と、
を記憶し、
前記第１画像情報が表示されたときに前記プリセット動作を行うことが指示されたとき、前記受信可能なチャンネル周波数を検索した後、検索した前記受信可能なチャンネル周波数を前記メモリに記憶し、
前記第１画像情報が表示されたときに前記ゲイン切換動作を行うことが指示されたとき、前記第２画像情報を表示するとともに、前記操作部によって前記ゲイン切換アンプのゲインが指示されて、各チャンネルの放送信号の受信電力を最適な値とすることを特徴とするデジタル放送受信装置。
【請求項２】
デジタル放送の放送信号を受信するアンテナと、該アンテナから受信した前記放送信号を減衰又は増幅するとともにゲイン切換可能なゲイン切換アンプと、該ゲイン切換アンプで減衰又は増幅された前記放送信号をデジタル変調方式によって復調する復調回路と、前記ゲイン切換アンプのゲインを設定する制御回路と、受信可能な前記放送信号のチャンネル周波数を記憶するメモリと、を備えるデジタル放送受信装置において、
前記ゲイン切換アンプのゲインを設定する操作部を備え、
受信可能なチャンネル周波数を検索するプリセット動作を行うとき、装置の設置地域で受信可能となるチャンネルの放送信号に対して、前記操作部によって前記ゲイン切換アンプのゲインの切換設定が行われることで、各チャンネルの放送信号の受信電力を最適な値とすることを特徴とするデジタル放送受信装置。
【請求項３】
前記プリセット動作として、チャンネル周波数を自動に切り換えるオートプリセット動作が可能であり、
前記オートプリセット動作後に、前記操作部によって前記ゲイン切換アンプのゲインの切換設定が行われることで、装置の設置地域で受信可能となるチャンネルの放送信号のうち検索不可能であったチャンネルの放送信号を受信可能とすることを特徴とする請求項２に記載のデジタル放送受信装置。
【請求項４】
前記オートプリセット動作時において、前記制御回路によって前記ゲイン切換アンプのゲインを順次切り換えることによって、装置の設置地域で受信可能となるチャンネルの放送信号それぞれの受信電力が最適な値となる状態で検索することを特徴とする請求項３に記載のデジタル放送受信装置。
【請求項５】
前記メモリが、
前記受信可能なチャンネル周波数を検索するプリセット動作と、前記ゲイン切換アンプのゲインを前記操作部で切り換えるゲイン切換動作とを選択させるメニュー画面となる第１画像情報と、
前記ゲイン切換アンプのゲインを決定するゲイン設定用のメニュー画面となる第２画像情報と、
を記憶することを特徴とする請求項２〜請求項４のいずれかに記載のデジタル放送受信装置。
【発明の詳細な説明】
【技術分野】
【０００１】
本発明は、デジタル放送を受信するデジタル放送受信装置に関するもので、特に、地域ごとの選局設定を行うことのできるデジタル放送受信装置に関する。
【背景技術】
【０００２】
近年、放送通信技術や符号圧縮技術の開発に伴い、各種放送においてもデジタル化が進み、放送技術がアナログ放送からデジタル放送に移行している。この放送分野でのデジタル化に応じて、放送を受信する放送受信装置においても、その仕様がデジタル放送を受信する仕様に変更され、現在では、その国や地域で送信されている規格に応じたデジタル放送受信装置が提供されている。
【０００３】
このようなデジタル放送受信装置では、受信した放送信号の受信電力が適正値、もしくは小さい場合は、受信した放送信号を増幅してＳ／Ｎ比を良好な信号とする。これに対して、受信した放送信号の受信電力が許容値を超えて大きい場合は、受信した放送信号に歪みが生じて復調することができなくなるため、受信した放送信号を減衰することで受信可能な状態とする。この放送信号の受信電力は、放送信号のチャンネル周波数や受信環境によって異なるため、その受信電力に応じて増幅量や減衰量を設定する必要がある。
【０００４】
このため、デジタル放送受信装置では、放送信号の増幅量や減衰量を設定してアンテナでの放送信号の受信電力を最適なものとするために、アンテナで受信した高周波信号に対してＡＧＣ（Automatic Gain Control）制御を行うＶＧＡ（Variable Gain Amplifier）が設けられる。更に、このＶＧＡにより放送信号の増幅量や減衰量を調整するデジタル放送受信装置として、復調後の信号を用いて受信状態を把握し、その受信状態に基づいてＶＧＡのゲイン量が設定されるものが提供されている（特許文献１参照）。
【０００５】
又、特許文献１においても記載されるように、デジタル放送受信装置においては、設置地域で受信可能なチャンネルを検索して設定するオートプリセット機能を備えるものがある。このオートプリセット機能を用いて受信可能なチャンネルを検索するとき、受信周波数を順番に切り換えて、同調可能な受信周波数が確認されると、確認された受信周波数を設定して記憶される。これにより、デジタル放送受信装置の設置地域で受信可能なチャンネルを自動的に設定することができる。
【特許文献１】特開２００６−５０５８５号公報
【発明の開示】
【発明が解決しようとする課題】
【０００６】
ところで、放送信号の受信電力は放送信号のチャンネル周波数や受信環境によって異なるため、アナログ放送においては、その受信電力が大きくても、放送信号の復調及び復号を行うことができるが、デジタル放送においては、受信電力が許容値を超えて大きいと、復調及び復号を行うことができない。即ち、デジタル放送で用いる変調方式として、ＰＳＫ（Phase Shift Keying）、８−ＶＳＢ（Vestigial Side Band）、ＱＡＭ（Quadrature Amplitude Modulation）などのデジタル変調方式が用いられるが、これらの変調方式による復調を行う際にエラーが発生し、受信異常を生じる。そのために、デジタル放送受信装置では、上述したように、アンテナ入力された放送信号のゲインを減衰させることで、復調及び復号が可能な状態とする必要がある。
【０００７】
しかしながら、オートプリセット機能を使用したチャンネル設定が行われる場合、受信した放送信号のゲインを可変させることなく行われることが多い。そのため、その受信電力が大きいチャンネルのデジタル放送については、復調時にエラーが発生することで正常な受信が確認できず、チャンネル設定が不可能となってしまう。特に、チャンネル周波数が低いデジタル放送信号ほど、アンテナ入力時の受信電力が大きくなるため、ＶＨＦ帯の周波数の低い領域を用いたチャンネルにおいて、チャンネル設定されない場合がある。
【０００８】
又、特許文献１のデジタル放送受信装置では、復調及び復号後の信号エラーを確認することで、受信状態を認識し、アンテナ入力された放送信号のゲインを変更するものとしている。しかしながら、その受信電力が許容値を超えて大きいチャンネルのデジタル放送を受信した場合、受信した放送信号の復調及び復号が不可能である。そのため、この特許文献１のデジタル放送受信装置においても、オートプリセット機能を使用したチャンネル設定が行われたときに、受信電力が大きいチャンネルのデジタル放送について検索されず、チャンネル設定がなされない場合がある。
【０００９】
このような問題を鑑みて、本発明は、チャンネル設定を行った際に、その受信電力の大きさによって確認不可能であったチャンネルのデジタル放送についても確実に検索可能とするデジタル放送受信装置を提供することを目的とする。
【課題を解決するための手段】
【００１０】
上記目的を達成するために、本発明のデジタル放送受信装置は、デジタル放送の放送信号を受信するアンテナと、該アンテナから受信した前記放送信号を減衰又は増幅するとともにゲイン切換可能なゲイン切換アンプと、該ゲイン切換アンプで減衰又は増幅された前記放送信号をデジタル変調方式によって復調する復調回路と、前記ゲイン切換アンプのゲインを設定する制御回路と、受信可能な前記放送信号のチャンネル周波数を記憶するメモリと、を備えるデジタル放送受信装置において、前記ゲイン切換アンプのゲインを設定する操作部を備えるとともに、前記メモリが、前記受信可能なチャンネル周波数を検索するプリセット動作と、前記ゲイン切換アンプのゲインを前記操作部で切り換えるゲイン切換動作とを選択させるメニュー画面となる第１画像情報と、前記ゲイン切換アンプのゲインを決定するゲイン設定用のメニュー画面となる第２画像情報と、を記憶し、前記第１画像情報が表示されたときに前記プリセット動作を行うことが指示されたとき、前記受信可能なチャンネル周波数を検索した後、検索した前記受信可能なチャンネル周波数を前記メモリに記憶し、前記第１画像情報が表示されたときに前記ゲイン切換動作を行うことが指示されたとき、前記第２画像情報を表示するとともに、前記操作部によって前記ゲイン切換アンプのゲインが指示されて、各チャンネルの放送信号の受信電力を最適な値とすることを特徴とする。
【００１１】
このデジタル放送受信装置では、マニュアルプリセット動作を行ったとき、プリセットを行うために指定されたチャンネル周波数の放送信号を受信するときは、正常に受信ができなかったことを確認すると、前記操作部によって前記ゲイン切換アンプのゲインを切り換えることで受信電力を最適な値とすることができる。又、オートプリセット動作を行うとき、受信可能なチャンネルのうち検索不可能であったチャンネルに対して、前記操作部によって前記ゲイン切換アンプのゲインを切り換えることで受信電力を最適な値とすることができる。
【００１２】
本発明のデジタル放送受信装置は、デジタル放送の放送信号を受信するアンテナと、該アンテナから受信した前記放送信号を減衰又は増幅するとともにゲイン切換可能なゲイン切換アンプと、該ゲイン切換アンプで減衰又は増幅された前記放送信号をデジタル変調方式によって復調する復調回路と、前記ゲイン切換アンプのゲインを設定する制御回路と、受信可能な前記放送信号のチャンネル周波数を記憶するメモリと、を備えるデジタル放送受信装置において、前記ゲイン切換アンプのゲインを設定する操作部を備え、受信可能なチャンネル周波数を検索するプリセット動作を行うとき、装置の設置地域で受信可能となるチャンネルの放送信号に対して、前記操作部によって前記ゲイン切換アンプのゲインの切換設定が行われることで、各チャンネルの放送信号の受信電力を最適な値とすることを特徴とする。
【００１３】
このような放送受信装置において、前記プリセット動作として、チャンネル周波数を自動に切り換えるオートプリセット動作が可能であり、前記オートプリセット動作後に、前記操作部によって前記ゲイン切換アンプのゲインの切換設定が行われることで、装置の設置地域で受信可能となるチャンネルの放送信号のうち検索不可能であったチャンネルの放送信号を受信可能とするものとしても構わない。
【００１４】
そして、前記オートプリセット動作時において、前記制御回路によって前記ゲイン切換アンプのゲインを順次切り換えることによって、装置の設置地域で受信可能となるチャンネルの放送信号それぞれの受信電力が最適な値となる状態で検索するものとしても構わない。
【００１５】
更に、前記メモリが、前記受信可能なチャンネル周波数を検索するプリセット動作と、前記ゲイン切換アンプのゲインを前記操作部で切り換えるゲイン切換動作とを選択させるメニュー画面となる第１画像情報と、前記ゲイン切換アンプのゲインを決定するゲイン設定用のメニュー画面となる第２画像情報と、を記憶するものとしても構わない。
【発明の効果】
【００１６】
本発明によると、放送信号の受信電力を調整することができるゲイン切換アンプのゲインを切り換える操作部を備えることで、プリセット動作後に正常に受信できなかったチャンネル周波数の放送信号に対して、ゲイン切換アンプのゲインを最適な値に前記操作部によって調整することができる。これにより、装置の設置地域において受信可能であるチャンネルの放送信号それぞれに対して、その受信電力を最適値に設定することができ、プリセット動作時に検索不可能であったチャンネルについても検索することができる。
【発明を実施するための最良の形態】
【００１７】
本発明の実施形態について、図面を参照して説明する。本実施形態では、ＵＨＦ帯及びＶＨＦ帯それぞれにおいて送信されるとともにデジタル変調された放送信号を受信するデジタル放送受信装置を、例に挙げて説明するが、ＵＨＦ帯及びＶＨＦ帯以外の帯域又はＵＨＦ帯及びＶＨＦ帯のいずれかの帯域のみを利用した放送信号を受信するものであっても構わない。
【００１８】
（デジタル放送受信装置の構成）
図１は、本実施形態のデジタル放送受信装置の内部構成を示すブロック図である。図１に示すデジタル放送受信装置は、デジタル放送信号となる高周波（ＲＦ）信号を受信するアンテナ１と、アンテナ１で受信したＲＦ信号よりデジタル放送の使用帯域における信号を抽出するバンドパスフィルタ（ＢＰＦ）２と、ＢＰＦ２を通過するＲＦ信号を増幅又は減衰するＶＧＡ３と、ＶＧＡ３から出力されたＲＦ信号よりＵＨＦ帯の放送信号を抽出するＵＨＦ用のＢＰＦ４ａと、ＶＧＡ３から出力されたＲＦ信号よりＶＨＦ帯の放送信号を抽出するＶＨＦ用のＢＰＦ４ｂと、ＢＰＦ４ａ，４ｂそれぞれで得られた放送信号を増幅又は減衰するＶＧＡ５ａ，５ｂと、ＶＧＡ５ａ，５ｂから出力される放送信号を中間周波数（ＩＦ）信号に変換するＩＦ変換回路６と、ＩＦ変換回路６で得られたＩＦ信号をＱＰＳＫや８−ＶＳＢやＱＡＭなどのデジタル変調方式に基づいて復調を行う復調回路７と、復調回路７で復調されたデジタル信号をＭＰＥＧなどの符号化方式に基づいて復号して映像信号及び音声信号を取得する復号回路８と、ＶＧＡ５ａ，５ｂから出力される放送信号の受信電力を確認してＶＧＡ３，５ａ，５ｂそれぞれのゲインを変更するとともに各部ロックの制御を行う制御回路９と、各チャンネルのチャンネル周波数やＶＧＡ３，５ａ，５ｂでのゲインなどの各種設定条件や各動作用プログラムなどが記憶されるメモリ１０と、ユーザに操作されて各動作の指示入力される操作部１１と、を備える。
【００１９】
このように構成されるデジタル放送受信装置は、操作部１１が操作されて所望のチャンネルのデジタル放送の受信が要求されると、制御回路９で受信チャンネルを確認すると、メモリ１０の記憶内容に基づいて、その受信チャンネルがＵＨＦ帯及びＶＨＦ帯のいずれであるか確認される。即ち、ＵＨＦ帯である場合は、ＢＰＦ４ａ及びＶＧＡ５ａが動作するように制御され、ＶＨＦ帯である場合は、ＢＰＦ４ｂ及びＶＧＡ５ｂが動作するように制御される。又、受信チャンネルのチャンネル周波数が確認されると、メモリ１０より確認されたチャンネル周波数に応じた発振周波数の発振信号を出力するように、ＩＦ変換回路６内の不図示の局部発振回路が制御される。
【００２０】
更に、復調回路７及び復号回路８それぞれで使用される変調方式及び符号化方式として、受信チャンネルのデジタル放送に応じた変調方式及び符号化方式が選択され、選択された変調方式及び符号化方式それぞれによる復調及び復号が成されるように設定される。又、受信チャンネルに対して設定されたＶＧＡ３，５ａ，５ｂでのゲインをメモリ１０より確認して、ＶＧＡ３，５ａ，５ｂでのゲイン設定が行われる。このようにして、操作部１１で指示された受信チャンネルに基づいて、制御回路９による各ブロックの設定が行われると、アンテナ１より受信したＲＦ信号より、ユーザに所望されたチャンネルのデジタル放送が選局され、その画像信号及び音声信号が出力される。
【００２１】
（デジタル放送受信動作）
図１のような構成のデジタル放送受信装置におけるデジタル放送の受信動作について、以下に簡単に説明する。上述したように、制御回路９で各ブロックの設定が行われて受信動作が開始すると、アンテナ１より受信したＲＦ信号よりＵＨＦ帯及びＶＨＦ帯を含む周波数帯域の信号がＢＰＦ２を通過した後、ＶＧＡ３で設定されたゲインで増幅又は減衰される。
【００２２】
ＲＦ信号がＶＧＡ３で増幅又は減衰されると、ＵＨＦ帯のチャンネルのデジタル放送を受信することが要求されているとき、動作するように設定されたＢＰＦ４ａによってＵＨＦ帯のＲＦ信号が抽出された後、ＶＧＡ５ａによって設定されたゲインにより増幅又は減衰される。又、ＶＨＦ帯のチャンネルのデジタル放送を受信することが要求されているときは、動作するように設定されたＢＰＦ４ｂによってＵＨＦ帯のＲＦ信号が抽出された後、ＶＧＡ５ｂによって設定されたゲインにより増幅又は減衰される。
【００２３】
そして、ＶＧＡ５ａ，５ｂそれぞれで増幅又は減衰されたＵＨＦ帯又はＶＨＦ帯のＲＦ信号がＩＦ変換回路６に与えられると、内部に備えた局部発振回路（不図示）によってミキシングされて、ＩＦ信号に変換される。このＩＦ変換回路６では、局部発振回路（不図示）より、中間周波数に受信チャンネルの周波数を加算した周波数の局部発振信号を発生して、ＶＧＡ５ａ，５ｂのいずれかから与えられるＲＦ信号にミキシングを行う。これにより、ＩＦ変換回路６では、受信チャンネルのＲＦ信号を中間周波数によるＩＦ信号に変換する。
【００２４】
ＩＦ変換回路６で得られたＩＦ信号が復調回路７に入力されると、設定されたデジタル変調方式によってＩＦ信号が復調された後、復号回路８において、設定された符号化方式によって復号され、外部のモニタ（不図示）やスピーカ（不図示）に画像信号及び音声信号を出力する。このようにして、デジタル放送受信装置に接続されたモニタやスピーカで映像及び音声が再生されることで、所望のチャンネルのデジタル放送が視聴される。
【００２５】
このようにデジタル放送の受信動作が行われているとき、制御回路９において、復調回路７及び復号回路８それぞれにおいて復調又は復号された信号のビットエラーレートなどを確認し、ＶＧＡ３，５ａ，５ｂにおけるゲインを最適なものに変動させる。
【００２６】
（プリセット動作）
このようなデジタル放送受信装置において、装置が設置された地域で受信可能なデジタル放送のチャンネルを検索して設定するプリセット動作が行われる。このプリセット動作を操作部１１によって指示したときのデジタル放送受信装置の各部における動作について、以下に説明する。
【００２７】
尚、本実施形態において、ＶＧＡ３，５ａ，５ｂそれぞれにおけるゲインについては、複数段階に設定されたゲイン設定値に応じたゲインに設定されるものとする。以下では、一例として、ゲイン設定値−３，−２，−１，０，１，２，３の７段階で設定されるものとする。そして、ゲイン設定値を−３としたとき、ＶＧＡ３，５ａ又はＶＧＡ３，５ｂそれぞれによる減衰量が最大となり、ゲイン設定値を３としたとき、ＶＧＡ３，５ａ又はＶＧＡ３，５ｂそれぞれによる増幅量が最大となるものとする。又、ゲイン設定値を０としたとき、ＶＧＡ３，５ａ又はＶＧＡ３，５ｂによるゲインは１とされ、受信した放送信号のゲインを変化させずに通過させる。
【００２８】
１．マニュアルプリセット
まず、ユーザによってプリセットするチャンネルが指定されるマニュアルプリセットが行われるときの動作について、図２のフローチャートを参照して説明する。操作部１１がユーザに操作されることで、プリセットするデジタル放送のチャンネル周波数が入力されると（ＳＴＥＰ１）、入力されたチャンネル周波数が制御回路９によって確認される（ＳＴＥＰ２）。
【００２９】
このとき、まず、図３（ａ）のようなメニュー画面がディスプレイ（不図示）に表示されて、「CHANNEL INSTALL」が操作部１１の操作によって指定されることで、まず、チャンネル設定用の図３（ｂ）のようなメニュー画面の表示が成される。図３（ｂ）のメニュー画面では、ゲイン設定値を選択入力することを指示するための「INPUT GAIN CONTROL」と、オートプリセットを行うことを指示するための「AUTOMATIC SEARCH」と、マニュアルプリセットを行うことを指示するための「MANUAL SEARCH」とが表示される。そして、「MANUAL SEARCH」が操作部１１の操作によって指定されることで、マニュアルプリセットを行うことが指示されると、チャンネル周波数の入力が求められ、チャンネル周波数がユーザによって入力される。尚、図３（ａ）及び図３（ｂ）のメニュー画面は、ＯＳＤ（On Screen Display）画像としてメモリ１０内に記録され、ディスプレイ（不図示）に出力されることで、ディスプレイ上に表示される。
【００３０】
そして、入力されたチャンネル周波数がＵＨＦ帯又はＶＨＦ帯のいずれかを判断し、ＢＰＦ４ａ，４ｂ及びＶＧＡ５ａ，５ｂにおいて動作させるＢＰＦとＶＧＡのみをＯＮとする（ＳＴＥＰ３）。このとき、ＩＦ変換回路６における局部発振回路（不図示）の局部発振周波数や、復調回路７におけるデジタル変調方式や、復号回路８における符号化方式なども設定される。その後、ゲイン設定値を０として、ＶＧＡ３，５ａそれぞれのゲイン、又は、ＶＧＡ３，５ｂそれぞれのゲインを設定する（ＳＴＥＰ４）。
【００３１】
このように、ゲイン設定値に基づくＶＧＡ３，５ａ，５ｂそれぞれのゲインが設定されると、指定されたチャンネル周波数での受信動作が開始する（ＳＴＥＰ５）。受信動作が開始されると、制御回路９によって、復調回路７や復号回路８でのエラーレートなどに基づいて、正常に映像及び音声が再生出力されているか否かが確認される（ＳＴＥＰ６）。尚、ディスプレイやスピーカに再生出力されている映像や音声をユーザが確認することで、操作部１１によって正常に映像及び音声が再生出力されているか否かをユーザが入力することで、制御回路９が確認するものとしても構わない。
【００３２】
ＳＴＥＰ６において、正常に映像及び音声が再生出力されている場合は（Ｙｅｓ）、受信したチャンネル周波数のデジタル放送に対するチャンネル番号の入力を求める（ＳＴＥＰ７）。そして、操作部１１によって入力されると（ＳＴＥＰ８）、入力されたチャンネル番号に対して、設定されたゲイン設定値及びチャンネル周波数がメモリ１０内に記録される（ＳＴＥＰ９）。
【００３３】
逆に、ＳＴＥＰ６において、正常に映像及び音声が再生出力されなかった場合は（Ｎｏ）、操作部１１によるゲイン設定値の変更が選択できるように、図３（ｂ）のメニュー画面がディスプレイ（不図示）に表示される（ＳＴＥＰ１０）。そして、操作部１１を通じてゲイン設定値の変更が指示されると（ＳＴＥＰ１１）、ゲイン設定用の図３（ｃ）のメニュー画面をディスプレイ（不図示）に表示することで、操作部１１によるゲイン設定値の入力を要求する（ＳＴＥＰ１２）。尚、図３（ｃ）のメニュー画面についても、ＯＳＤ画像としてメモリ１０内に記録されている。
【００３４】
そして、図３（ｃ）のメニュー画面に基づいて操作部１１が操作されて、ゲイン設定値が入力されると（ＳＴＥＰ１３）、入力されたゲイン設定値に基づいて、ＶＧＡ３，５ａ，５ｂそれぞれのゲインが設定される（ＳＴＥＰ１４）。その後、ＳＴＥＰ５に移行することで、指定されたチャンネル周波数での受信動作を開始し、正常に受信がなされたか否かが判定される。尚、ＳＴＥＰ１０において、図３（ｂ）のメニュー画面が表示されたとき、プリセットやゲイン設定値の設定などの各種設定動作の終了が指示されたとき、図２のフローチャートによる動作を終了するものとしても構わない。
【００３５】
２．オートプリセット
次に、装置が自動でチャンネル周波数を順次切り替えることで自動的にプリセットを行うオートプリセットについて、図４のフローチャートを参照して説明する。操作部１１がユーザに操作されることで、オートプリセットを開始することが入力されると（ＳＴＥＰ１０１）、制御回路９によってゲイン設定値を初期値（０〜＋３）に設定する（ＳＴＥＰ１０２）。このとき、まず、図３（ａ）のようなメニュー画面がディスプレイ（不図示）に表示されて、「CHANNEL INSTALL」が操作部１１の操作によって指定されて、チャンネル設定用の図３（ｂ）のようなメニュー画面が表示される。そして、「AUTOMATIC SEARCH」が操作部１１の操作によって指定されることで、オートルプリセットを行うことが指示される。
【００３６】
そして、デジタル放送の使用周波数帯域で最低となるチャンネル周波数がメモリ１０より読み出されて制御回路９によって確認される（ＳＴＥＰ１０３）。その後、制御回路９で設定されたチャンネル周波数がＵＨＦ帯又はＶＨＦ帯のいずれかを判断し、ＢＰＦ４ａ，４ｂ及びＶＧＡ５ａ，５ｂにおいて動作させるＢＰＦとＶＧＡのみをＯＮとする（ＳＴＥＰ１０４）。このとき、ＩＦ変換回路６における局部発振回路（不図示）の局部発振周波数や、復調回路７におけるデジタル変調方式や、復号回路８における符号化方式なども設定される。又、制御回路９で設定されたゲイン設定値に基づいて、ＶＧＡ３，５ａそれぞれのゲイン、又は、ＶＧＡ３，５ｂそれぞれのゲインを設定する（ＳＴＥＰ１０５）。
【００３７】
このように、ゲイン設定値に基づくＶＧＡ３，５ａ，５ｂそれぞれのゲインが設定されると、マニュアルプリセット動作時と同様、受信動作を開始して、受信可能チャンネルであるか否かが確認される（ＳＴＥＰ５，６）。ＳＴＥＰ６において、正常に映像及び音声が再生出力されていることを確認し、受信可能チャンネルであることが認識されると（Ｙｅｓ）、チャンネル番号が設定されて（ＳＴＥＰ１０６）、このチャンネル番号に対して、設定されているゲイン設定値及びチャンネル周波数がメモリ１０内に記録される（ＳＴＥＰ９）。
【００３８】
ＳＴＥＰ９のメモリ１０への記憶動作が行われた後、又は、ＳＴＥＰ６において、正常に映像及び音声が再生出力されることなく受信可能チャンネルと認識されなかった場合（Ｎｏ）、デジタル放送に割り当てられているチャンネル周波数帯域全てについて検索を行ったか否かが確認される（ＳＴＥＰ１０７）。このＳＴＥＰ１０７において、検索されていない帯域が存在する場合は（Ｎｏ）、次に高いチャンネル周波数を制御回路９が設定した後（ＳＴＥＰ１０８）、ＳＴＥＰ１０４に移行して受信動作を行うことで、受信チャンネル周波数であるか否かが判定される。
【００３９】
このように、チャンネル周波数を低い周波数から順番に切り換えて受信可能なチャンネル周波数を検索し、受信可能なチャンネル周波数を各チャンネル番号に登録してメモリ１０に記憶することで、オートプリセットを終了する。そして、ＳＴＥＰ１０７において、チャンネル周波数帯域全てについて検索を行ったことを確認し（Ｙｅｓ）、オートプリセットが終了すると、ユーザによって各チャンネル番号に対して正常に設定が行われたか否かの確認が行われる（ＳＴＥＰ１０９）。このＳＴＥＰ１０９で、正常にプリセットが行われたことが操作部１１によって入力されると（Ｙｅｓ）、オートプリセット動作を終了する。
【００４０】
逆に、ＳＴＥＰ１０９で、プリセットされていないチャンネルが確認されたとき（Ｎｏ）、ゲイン設定値の値が最低値となったか否か（本例の場合、ゲイン設定値が−３となったか否か）が確認される（ＳＴＥＰ１１０）。このＳＴＥＰ１１０において、ゲイン設定値が最低値に達していない場合は（Ｎｏ）、ゲイン設定値を１段階低い値に変更した後（ＳＴＥＰ１１１）、ＳＴＥＰ１０３に移行する。これにより、変更されたゲイン設定値に基づいて、ＶＧＡ３，５ａ，５ｂそれぞれのゲインが設定されるとともに、再び、チャンネル周波数を低い周波数から順番に切り換えて受信可能チャンネル周波数の検索を行う。又、ＳＴＥＰ１１０において、ゲイン設定値が最低値に達している場合は（Ｙｅｓ）、動作を終了する。
【００４１】
このようにすることで、実際に設定されたゲイン設定値０〜＋３から１段階ずつ低くして、受信可能なチャンネル周波数を検索することができる。即ち、ゲイン設定値０〜＋３より選択されて実際に設定されたゲイン設定値で受信したときに、受信電力が許容値を超える放送信号についても、その受信電力を減衰して許容値に収めることができる。これにより、検索不可能であった放送信号においても、受信可能となる受信電力に抑えて検索することができる。
【００４２】
又、既にメモリ１０内にチャンネル番号とともに記録したチャンネル周波数については、メモリ１０に記録されたままとすることで、ゲイン設定値を変更することで受信不可能となったとしても、プリセットされた状態とすることができる。又、ゲイン設定値を変更しても受信可能な場合は、例えば、復調回路７や復号回路８でのエラーレートなどを比較するなどをして、受信エラーの少ないゲイン設定値を選択してメモリ１０に記録するものとするようにしても構わない。
【００４３】
又、オートプリセット動作を行うときにおいても、マニュアルプリセット動作を行うときと同様、ゲイン設定値をユーザの操作によって変更できるように、図３（ｂ）の表示から図３（ｃ）の表示が選択可能なものとしても構わない。即ち、図４のフローチャートに従って自動的にゲイン設定値を切り換えて、各ゲイン設定値において受信可能となるチャンネル周波数を検索するのではなく、ゲイン設定値の切換をユーザによって指定されるものとしても構わない。
【００４４】
このとき、更に、ユーザが操作部１１を操作することで入力されたゲイン設定値によって、再びオートプリセットすることで検索不可能であったチャンネル周波数のデジタル放送を検索するものとしても構わないし、マニュアルプリセットによって検索不可能であったチャンネル周波数をユーザが指定するものとしても構わない。
【００４５】
又、図４のフローチャートによるオートプリセット動作の場合、ゲイン設定値を切り換える毎に、デジタル放送に割り当てられたチャンネル周波数帯域全域を検索するものとしたが、受信するチャンネル周波数を切り換える毎に、ゲイン設定値を切り換えるものとしても構わない。このとき、受信可能チャンネルでないチャンネル周波数での検索が行われる場合は、全てのゲイン設定値が切り換えられて検索される。そして、受信可能チャンネルに対するチャンネル周波数での検索が行われる場合は、正常に受信されるまでゲイン設定値が切り換えられるものとしても構わない。
【００４６】
更に、メモリ１０に、予め、各設置地域に対して受信可能なチャンネルのチャンネル周波数を記憶した受信可能チャンネル記憶テーブルが備えられるものとしても構わない。このとき、操作部１１によって設置地域が入力されてオートプリセット動作が行われるとき、メモリ１０内の受信可能チャンネル記憶テーブルが確認されて、受信可能なチャンネルのチャンネル周波数毎に検索動作が行われるものとしても構わない。このとき、上述のオートプリセット動作と同様、正常な受信が行われなかったチャンネルについては、自動的にゲイン設定値を切り換えることで、正常に受信ができるようにＶＧＡ３，５ａ，５ｂそれぞれのゲインが設定される。
【００４７】
このように、本実施形態によると、ＶＧＡ３，５ａ，５ｂそれぞれのゲインを設定するゲイン設定値を自動的に又はユーザが指定して切り換えることができる。そして、このゲイン設定値をユーザが指定して切り換えることにより、プリセット時において、ユーザが認識している受信可能チャンネルを確実に受信できるように、ＶＧＡ３，５ａ，５ｂそれぞれのゲインを設定することができる。又、自動的に設定する場合において、受信可能チャンネルが正常に受信されるまで、ゲイン設定値を１段階ごとに切り換えることで、ＶＧＡ３，５ａ，５ｂそれぞれのゲインを最適な値とすることができるとともに、確実に受信可能チャンネルを検索することができる。
【産業上の利用可能性】
【００４８】
本発明は、デジタル放送を受信するデジタル放送受信装置であり、ＤＶＤやハードディスクなどの記録媒体にデジタル放送を記録するデジタル放送記録装置や、デジタル放送の画像や音声を再生するデジタル放送用テレビなどに適用することができる。
【図面の簡単な説明】
【００４９】
【図１】は、本発明の実施形態のデジタル放送受信装置の内部構成を示すブロック図である。
【図２】は、図１のデジタル放送受信装置におけるマニュアルプリセット動作を示すフローチャートである。
【図３】は、ＯＳＤ画像によるメニュー画面表示の例を示す図である。
【図４】は、図１のデジタル放送受信装置におけるオートプリセット動作を示すフローチャートである。
【符号の説明】
【００５０】
１    アンテナ
２，４ａ，４ｂ    ＢＰＦ
３，５ａ，５ｂ    ＶＧＡ
６    ＩＦ変換回路
７    復調回路
８    復号回路
９    制御回路
１０    メモリ
１１    操作部
【図１】
2008177983.tif 000003
【図２】
2008177983.tif 000004
【図３】
2008177983.tif 000005
【図４】
2008177983.tif 000006
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
デジタル放送の放送信号を受信するアンテナと、該アンテナから受信した前記放送信号を減衰又は増幅するとともにゲイン切換可能なゲイン切換アンプと、該ゲイン切換アンプで減衰又は増幅された前記放送信号をデジタル変調方式によって復調する復調回路と、前記ゲイン切換アンプのゲインを設定する制御回路と、受信可能な前記放送信号のチャンネル周波数を記憶するメモリと、前記ゲイン切換アンプのゲインを設定する操作部と、を備え、
前記メモリが、
前記受信可能なチャンネル周波数を検索するプリセット動作と、前記ゲイン切換アンプのゲインを前記操作部で切り換えるゲイン切換動作とを選択させるメニュー画面となる第１画像情報と、
前記ゲイン切換アンプのゲインを決定するゲイン設定用のメニュー画面となる第２画像情報と、
を記憶し、
前記第１画像情報が表示されているときに前記プリセット動作を行うことが指示されると、前記受信可能なチャンネル周波数を検索した後、検索した前記受信可能なチャンネル周波数を前記メモリに記憶し、
前記第１画像情報が表示されているときに前記ゲイン切換動作を行うことが指示されると、前記第２画像情報が表示され、
前記第２画像情報が表示されているときに前記操作部によって前記ゲイン切換アンプのゲインが指示されると、その指示に基づいて前記ゲイン切換アンプのゲインが設定され、その設定条件下で前記プリセット動作が行われることを特徴とするデジタル放送受信装置。
【請求項２】
デジタル放送の放送信号を受信するアンテナと、該アンテナから受信した前記放送信号を減衰又は増幅するとともにゲイン切換可能なゲイン切換アンプと、該ゲイン切換アンプで減衰又は増幅された前記放送信号をデジタル変調方式によって復調する復調回路と、前記ゲイン切換アンプのゲインを設定する制御回路と、受信可能な前記放送信号のチャンネル周波数を記憶するメモリと、前記ゲイン切換アンプのゲインを設定する操作部と、を備え、
受信可能なチャンネル周波数を検索するプリセット動作を行うとき、装置の設置地域で受信可能となるチャンネルの放送信号であって、前記ゲイン切換アンプのゲインが初期値である場合に正常な受信が確認できないチャンネルの放送信号の正常な受信を、前記制御回路又は前記操作部によって前記ゲイン切換アンプのゲインの切換設定が行われることで、可能とすることを特徴とするデジタル放送受信装置。
【請求項３】
前記プリセット動作として、チャンネル周波数を自動に切り換えるオートプリセット動作が可能であり、
装置の設置地域で受信可能となるチャンネルの放送信号であって、前記ゲイン切換アンプのゲインを初期値にした条件下でのオートプリセット動作では正常な受信が確認できないチャンネルの放送信号の正常な受信を、前記ゲイン切換アンプのゲインを初期値にした条件下での前記オートプリセット動作後に、前記制御回路又は前記操作部によって前記ゲイン切換アンプのゲインの切換設定が行われることで、可能とすることを特徴とする請求項２に記載のデジタル放送受信装置。
【請求項４】
前記プリセット動作として、チャンネル周波数を自動に切り換えるオートプリセット動作が可能であり、
装置の設置地域で受信可能となるチャンネルの放送信号であって、前記ゲイン切換アンプのゲインを初期値にした条件下でのオートプリセット動作では正常な受信が確認できないチャンネルの放送信号の正常な受信を、前記ゲイン切換アンプのゲインを初期値にした条件下でのオートプリセット動作後に、前記制御回路によって前記ゲイン切換アンプのゲインの切換設定が行われた条件下で再度オートプリセット動作を行うことで、可能とすることを特徴とする請求項２に記載のデジタル放送受信装置。
【請求項５】
前記メモリが、
前記受信可能なチャンネル周波数を検索するプリセット動作と、前記ゲイン切換アンプのゲインを前記操作部で切り換えるゲイン切換動作とを選択させるメニュー画面となる第１画像情報と、
前記ゲイン切換アンプのゲインを決定するゲイン設定用のメニュー画面となる第２画像情報と、
を記憶することを特徴とする請求項２〜請求項４のいずれかに記載のデジタル放送受信装置。
【手続補正２】
【補正対象書類名】明細書
【補正対象項目名】００１０
【補正方法】変更
【補正の内容】
【００１０】
上記目的を達成するために、本発明のデジタル放送受信装置は、デジタル放送の放送信号を受信するアンテナと、該アンテナから受信した前記放送信号を減衰又は増幅するとともにゲイン切換可能なゲイン切換アンプと、該ゲイン切換アンプで減衰又は増幅された前記放送信号をデジタル変調方式によって復調する復調回路と、前記ゲイン切換アンプのゲインを設定する制御回路と、受信可能な前記放送信号のチャンネル周波数を記憶するメモリと、前記ゲイン切換アンプのゲインを設定する操作部と、を備え、前記メモリが、前記受信可能なチャンネル周波数を検索するプリセット動作と、前記ゲイン切換アンプのゲインを前記操作部で切り換えるゲイン切換動作とを選択させるメニュー画面となる第１画像情報と、前記ゲイン切換アンプのゲインを決定するゲイン設定用のメニュー画面となる第２画像情報と、を記憶し、前記第１画像情報が表示されているときに前記プリセット動作を行うことが指示されると、前記受信可能なチャンネル周波数を検索した後、検索した前記受信可能なチャンネル周波数を前記メモリに記憶し、前記第１画像情報が表示されているときに前記ゲイン切換動作を行うことが指示されると、前記第２画像情報が表示され、前記第２画像情報が表示されているときに前記操作部によって前記ゲイン切換アンプのゲインが指示されると、その指示に基づいて前記ゲイン切換アンプのゲインが設定され、その設定条件下で前記プリセット動作が行われるようにしている。
【手続補正３】
【補正対象書類名】明細書
【補正対象項目名】００１１
【補正方法】変更
【補正の内容】
【００１１】
このデジタル放送受信装置では、マニュアルプリセット動作を行ったとき、プリセットを行うために指定されたチャンネル周波数の放送信号を正常に受信できなかった場合、前記操作部によって前記ゲイン切換アンプのゲインを切り換えることができ、この前記ゲイン切換アンプのゲインの切り換えにより、プリセットを行うために指定されたチャンネル周波数の放送信号の正常受信が可能となる。又、オートプリセット動作を行うとき、受信可能なチャンネルのうち正常に受信できなかったチャンネルがあった場合、前記操作部によって前記ゲイン切換アンプのゲインを切り換えることでき、受信可能なチャンネルのうち正常に受信できなかったチャンネルの放送信号の正常受信が可能となる。
【手続補正４】
【補正対象書類名】明細書
【補正対象項目名】００１２
【補正方法】変更
【補正の内容】
【００１２】
本発明のデジタル放送受信装置は、デジタル放送の放送信号を受信するアンテナと、該アンテナから受信した前記放送信号を減衰又は増幅するとともにゲイン切換可能なゲイン切換アンプと、該ゲイン切換アンプで減衰又は増幅された前記放送信号をデジタル変調方式によって復調する復調回路と、前記ゲイン切換アンプのゲインを設定する制御回路と、受信可能な前記放送信号のチャンネル周波数を記憶するメモリと、前記ゲイン切換アンプのゲインを設定する操作部とを、備え、受信可能なチャンネル周波数を検索するプリセット動作を行うとき、装置の設置地域で受信可能となるチャンネルの放送信号であって、前記ゲイン切換アンプのゲインが初期値である場合に正常な受信が確認できないチャンネルの放送信号の正常な受信を、前記制御回路又は前記操作部によって前記ゲイン切換アンプのゲインの切換設定が行われることで、可能としている。
【手続補正５】
【補正対象書類名】明細書
【補正対象項目名】００１３
【補正方法】変更
【補正の内容】
【００１３】
このような放送受信装置において、前記プリセット動作として、チャンネル周波数を自動に切り換えるオートプリセット動作が可能であり、装置の設置地域で受信可能となるチャンネルの放送信号であって、前記ゲイン切換アンプのゲインを初期値にした条件下でのオートプリセット動作では正常な受信が確認できないチャンネルの放送信号の正常な受信を、前記ゲイン切換アンプのゲインを初期値にした条件下での前記オートプリセット動作後に、前記制御回路又は前記操作部によって前記ゲイン切換アンプのゲインの切換設定が行われることで、可能とするものとしても構わない。
【手続補正６】
【補正対象書類名】明細書
【補正対象項目名】００１４
【補正方法】変更
【補正の内容】
【００１４】
また、このような放送受信装置において、前記プリセット動作として、チャンネル周波数を自動に切り換えるオートプリセット動作が可能であり、装置の設置地域で受信可能となるチャンネルの放送信号であって、前記ゲイン切換アンプのゲインを初期値にした条件下でのオートプリセット動作では正常な受信が確認できないチャンネルの放送信号の正常な受信を、前記ゲイン切換アンプのゲインを初期値にした条件下でのオートプリセット動作後に、前記制御回路によって前記ゲイン切換アンプのゲインの切換設定が行われた条件下で再度オートプリセット動作を行うことで、可能とするものとしても構わない。
【手続補正７】
【補正対象書類名】明細書
【補正対象項目名】００１６
【補正方法】変更
【補正の内容】
【００１６】
本発明によると、装置の設置地域で受信可能となるチャンネルの放送信号であって、前記ゲイン切換アンプのゲインが初期値である場合に正常な受信が確認できないチャンネルの放送信号の正常な受信が、前記制御回路又は前記操作部によって前記ゲイン切換アンプのゲインの切換設定が行われることで、可能となる。
【手続補正８】
【補正対象書類名】明細書
【補正対象項目名】００１８
【補正方法】変更
【補正の内容】
【００１８】
（デジタル放送受信装置の構成）
図１は、本実施形態のデジタル放送受信装置の内部構成を示すブロック図である。図１に示すデジタル放送受信装置は、デジタル放送信号となる高周波（ＲＦ）信号を受信するアンテナ１と、アンテナ１で受信したＲＦ信号よりデジタル放送の使用帯域における信号を抽出するバンドパスフィルタ（ＢＰＦ）２と、ＢＰＦ２を通過するＲＦ信号を増幅又は減衰するＶＧＡ３と、ＶＧＡ３から出力されたＲＦ信号よりＵＨＦ帯の放送信号を抽出するＵＨＦ用のＢＰＦ４ａと、ＶＧＡ３から出力されたＲＦ信号よりＶＨＦ帯の放送信号を抽出するＶＨＦ用のＢＰＦ４ｂと、ＢＰＦ４ａ，４ｂそれぞれで得られた放送信号を増幅又は減衰するＶＧＡ５ａ，５ｂと、ＶＧＡ５ａ，５ｂから出力される放送信号を中間周波数（ＩＦ）信号に変換するＩＦ変換回路６と、ＩＦ変換回路６で得られたＩＦ信号をＱＰＳＫや８−ＶＳＢやＱＡＭなどのデジタル変調方式に基づいて復調を行う復調回路７と、復調回路７で復調されたデジタル信号をＭＰＥＧなどの符号化方式に基づいて復号して映像信号及び音声信号を取得する復号回路８と、ＶＧＡ５ａ，５ｂから出力される放送信号の受信電力を確認してＶＧＡ３，５ａ，５ｂそれぞれのゲインを変更するとともに各ブロックの制御を行う制御回路９と、各チャンネルのチャンネル周波数やＶＧＡ３，５ａ，５ｂでのゲインなどの各種設定条件や各動作用プログラムなどが記憶されるメモリ１０と、ユーザに操作されて各動作の指示入力される操作部１１と、を備える。
【手続補正９】
【補正対象書類名】明細書
【補正対象項目名】００２２
【補正方法】変更
【補正の内容】
【００２２】
ＲＦ信号がＶＧＡ３で増幅又は減衰されると、ＵＨＦ帯のチャンネルのデジタル放送を受信することが要求されているとき、動作するように設定されたＢＰＦ４ａによってＵＨＦ帯のＲＦ信号が抽出された後、ＶＧＡ５ａによって設定されたゲインにより増幅又は減衰される。又、ＶＨＦ帯のチャンネルのデジタル放送を受信することが要求されているときは、動作するように設定されたＢＰＦ４ｂによってＶＨＦ帯のＲＦ信号が抽出された後、ＶＧＡ５ｂによって設定されたゲインにより増幅又は減衰される。